(57)【特許請求の範囲】
【請求項１】
ロープと、貝に開けた孔とに差し込み可能な細長の基材（２）に、二本の第一のロープ止め突起（３）と、二本の第二のロープ止め突起（４）が突設され、両ロープ止め突起（３、４）は基材（２）の反対側に突設され、二本の第一のロープ止め突起（３）も、二本の第二のロープ止め突起（４）も基材（２）の軸方向に離して突設され、基材（２）のうち第二のロープ止め突起（４）が突設された部分に、第一のロープ止め突起（３）側に突出する凹陥部（６）が形成され、二本の第二のロープ止め突起（４）は凹陥部（６）の内側において二本の第一のロープ止め突起（３）よりも基材の軸方向内側に突設されたことを特徴とする貝係止具。
【請求項２】
請求項１記載の貝係止具において、二本の第二のロープ止め突起（４）の間隔が、二本の第一のロープ止め突起（３）の間隔よりも狭いことを特徴とする貝係止具。
【請求項３】
請求項１又は請求項２記載の貝係止具において、第二のロープ止め突起（４）を第一のロープ止め突起（３）よりも短くし、第二のロープ止め突起（４）が凹陥部（６）より外側まで突出しないか僅かに突出する長さであることを特徴とする貝係止具。
【請求項４】
請求項１乃至請求項３のいずれかに記載の貝係止具において、第一のロープ止め突起（３）の軸と、第二のロープ止め突起(４)の軸の方向が異なることを特徴とする貝係止具。
【請求項５】
請求項１乃至請求項４のいずれかに記載の貝係止具において、貝止め突起（５）が基材（２）の軸方向両端側に一本ずつ又は二本ずつ突設され、二本ずつ突設された場合は、互いに基材（２）の反対側に突設されたことを特徴とする貝係止具。
【請求項６】
請求項１乃至請求項５記載のいずれかに記載の貝係止具（１）が多数本並べられ、それら貝係止具（１）の基材（２）の軸方向両端部（７）が、細長連結体（８）により連結されて一枚に成型されたことを特徴とする集合貝係止具。
【請求項７】
請求項６記載の集合貝係止具において、隣接する貝係止具（１）の第一のロープ止め突起（３）と第二のロープ止め突起（４）とが、直接またはロープ止め連結材（９）を介して連結されて一枚に成型されたことを特徴とする集合貝係止具。
【請求項８】
請求項６又は請求項７記載の集合貝係止具において、細長連結体（８）と貝係止具（１）の端部（７）との間に、端部（７）の外形よりも大きな外形の突起（１０）が形成されて一枚に成型されたことを特徴とする集合貝係止具。
【請求項９】
請求項１乃至請求項５のいずれかに記載の貝係止具（１）が多数本並べられ、隣接する貝係止具（１）の第一のロープ止め突起（３）と第二のロープ止め突起（４）とが直接又はロープ止め連結材（９）を介して連結されて多数本の貝係止具（１）が連続成型され、連結された多数本の貝係止具（１）は、第一のロープ止め突起（３）と第二のロープ止め突起（４）とが直接連結された場合はその連結部（２５）を、ロープ止め連結材（９）で連結された場合はそのロープ止め連結材（９）を可撓性のあるものとすることにより当該ロープ止め連結材（９）から、ロール状に巻き取り可能であることを特徴とする連続貝係止具。
【請求項１０】
請求項９記載の連続貝係止具において、ロープ止め連結材（９）が、可撓性のある薄片又は可撓性のある紐であることを特徴とする連続貝係止具。
【請求項１１】
請求項９又は請求項１０記載の連続貝係止具において、隣接する貝係止具（１）の基材（２）のうち第一のロープ止め突起（３）と第二のロープ止め突起（４）の内側が基材連結材（１３）によって連結されて連続成型され、基材連結材（１３）が可撓性のある薄片又は可撓性のある紐であることを特徴とする連続貝係止具。
【請求項１２】
請求項９又は請求項１０記載の連続貝係止具において、隣接する貝係止具（１）の基材（２）のうち第一のロープ止め突起（３）と貝止め突起（５）との間が基材連結材（１３）によって連結されて連続成型され、基材連結材（１３）が可撓性のある薄片又は可撓性のある紐であることを特徴とする連続貝係止具。
【請求項１３】
請求項９又は請求項１０記載の連続貝係止具において、隣接する貝係止具（１）の基材（２）の両端部が基材連結材（１３）によって連結され、基材連結材（１３）が、連結された多数本の貝係止具（１）をロール状に巻き取り可能な可撓性のある薄片又は可撓性のある紐であることを特徴とする連続貝係止具。
【請求項１４】
請求項９乃至請求項１３のいずれかに記載の連続貝係止具（１４）がロール状に巻かれたことを特徴とするロール状連続貝係止具。
【請求項１５】
請求項９乃至請求項１３のいずれかに記載の連続貝係止具（１４）がシート（１５）をあてがってロール状に巻かれて、巻層間にシート（１５）が介在されたことを特徴とするロール状連続貝係止具。
【請求項１６】
請求項１３又は請求項１４記載のロール状連続貝係止具において、連続貝係止具（１４）が巻胴（１６）と鍔（１７）を備えたボビン（１８）にロール状に巻かれたことを特徴とするロール状連続貝係止具。
【発明の詳細な説明】
【技術分野】
【０００１】
本発明は帆立貝、真珠貝、その他の貝の養殖に使用される貝係止具と、集合貝係止具と、連続貝係止具と、ロール状連続貝係止具に関する。
【背景技術】
【０００２】
帆立貝の養殖方法の一つとして耳吊養殖がある。これは海面近くに横向きに張った横ロープに、予め帆立貝を取付けた縦ロープを縦向きに取り付けて海中に吊して養殖する方法である。
【０００３】
帆立貝を縦ロープＣに取付けるのに貝係止具が使用されている。貝係止具Ｄには図２０に示すようなものがある。これは樹脂製の細長な基材の軸方向中央部にロープ止め突起Ｈが突設され、軸方向両端寄りに貝止め突起Ｇが突設されている。この貝係止具Ｄは自動差込機（ピンセッター）で一本ずつ縦ロープＣに差し込まれる。差し込み速度は１本当たり０．７〜１秒程度の高速である。
【発明の開示】
【発明が解決しようとする課題】
【０００４】
貝係止具を縦ロープＣに差し込む場合、図２１のロープ止め突起Ｈの傾斜角度θが小さい方が差し込み易い。ロープ止め突起Ｈの先端間隔Ｌを一定とし、傾斜角度θが大きい場合のロープ止め突起Ｈの根元間隔をｍとした場合、図２１（ａ）（ｂ）のように傾斜角度θが小さい方のロープ止め突起Ｈの根元間隔Ｍはｍよりも広くなる。Ｍが広いと差し込まれた縦ロープＣ（図２１）の遊び（左右へのずれ幅）が大きくなる。即ち、縦ロープＣに差し込まれた貝係止具Ｄが左右へ移動し易く（ずれ易く）なる。図２０（ａ）のように貝係止具Ｄがずれすると、貝係止具Ｄに係止された貝Ｂが縦ロープＣに接触して擦れて貝Ｂにストレスが発生し、貝Ｂの成長不良の一因となる。また、摺れた部分が他の部分よりも成長が遅れるため、貝Ｂの摺れた部分が図２０（ｂ）のように窪んで（くびれて）変形する。一旦、変形すると、くびれた部分Ｋが成長して変形が直るまでに長い時間がかかり、場合によっては、時間がかかっても直らないこともある。その場合は変形貝となって販売に適さなくなる。更に、縦ロープＣの遊びが大きくなって貝係止具Ｄが位置ずれし易くなると、位置ずれする貝係止具Ｄのロープ止め突起Ｈが縦ロープＣに衝突して衝撃を受け、そのくり返しによりロープ止め突起Ｈが折れることがあった。ロープ止め突起Ｈが折れると貝係止具Ｄが益々スライドし易くなり、図２０（ａ）のように貝Ｂが縦ロープＣに接触して貝Ｂのストレスが増大し、貝Ｂの成長不良が著しくなり、図２０（ｂ）のように貝Ｂに窪みが発生し易くなり、変形し易くなる。
【課題を解決するための手段】
【０００５】
本発明は前記した縦ロープ内での位置ずれが少なく、縦ロープへ差し込み易い貝係止具を提供するものである。また、その貝係止具を数十本まとめて一枚に成型された集合貝係止具と、数千〜数万本もの多数の貝係止具が連続成型された連続貝係止具と、連続貝係止具がロール状に巻かれたロール状連続貝係止具を提供するものである。
【０００６】
【０００７】
本発明の貝係止具は、ロープと、貝に開けた孔とに差し込み可能な細長の基材２に、二本の第一のロープ止め突起３と、二本の第二のロープ止め突起４を突設し、両ロープ止め突起３、４は基材２の反対側に突設し、二本の第一のロープ止め突起３も、二本の第二のロープ止め突起４も基材２の軸方向に離して突設し、基材２のうち第二のロープ止め突起４が突設された部分に、第一のロープ止め突起３側に突出する凹陥部６を形成し、二本の第二のロープ止め突起４は凹陥部６の内側において二本の第一のロープ止め突起３よりも基材の軸方向内側に突設した。前記二本の第二のロープ止め突起４の間隔を、二本の第一のロープ止め突起３の間隔よりも狭くした。前記第二のロープ止め突起４を第一のロープ止め突起３よりも短くし、前記第二のロープ止め突起４を凹陥部６より外側まで突出しないか僅かに突出する長さにした。第一のロープ止め突起３の軸と、第二のロープ止め突起４の軸の方向が異なるようにした。貝止め突起５が基材２の軸方向両端側に一本ずつ又は二本ずつ突設し、二本ずつ突設された場合は、互いに基材２の反対側に突設した。
【０００８】
本発明の集合貝係止具は、前記貝係止具１を多数本並べ、それら貝係止具１の基材２の軸方向両端部７を細長連結体８により連結して一枚に成型した。この場合、隣接する貝係止具の第一のロープ止め突起３と第二のロープ止め突起４とを直接またはロープ止め連結材９を介して連結して一枚に成型した。細長連結体８と貝係止具１の端部７との間に、端部７の外形よりも大きな外形の突起１０を形成して一枚に成型した。
【０００９】
本発明の連続貝係止具は、前記貝係止具１を多数本並べ、隣接する貝係止具１の第一のロープ止め突起３と第二のロープ止め突起４とを直接又はロープ止め連結材９を介して連結して、多数本の貝係止具１を連続成型し、ロープ止め連結材９は、連結された多数の貝係止具１をロール状に巻き取り可能な可撓性のあるものにした。ロープ止め連結材９を、可撓性のある薄片又は可撓性のある紐とした。隣接する貝係止具１の基材２のうち第一のロープ止め突起３と第二のロープ止め突起４の内側を基材連結材１３によって連結し、基材連結材１３を可撓性のある薄片又は可撓性のある紐とした。隣接する貝係止具１の基材２の両端部を基材連結材１３によって連結し、基材連結材１３を可撓性のある薄片又は可撓性のある紐とした。
【００１０】
本発明のロール状連続貝係止具は、前記連続貝係止具１４をロール状に巻いた。この場合、シート１５をあてがってロール状に巻いて、巻層間にシート１５を介在させた。連続貝係止具１４を巻胴１６と鍔１７を備えたボビン１８にロール状に巻いた。
【発明の効果】
【００１１】
本件出願の貝係止具は次のような効果がある。
１．第一のロープ止め突起と第二のロープ止め突起が基材の周方向反対側に設けてあるので、ロープに差し込まれた貝係止具が、第二のロープ止め突起によっても位置ずれが防止され、貝係止具がスライドしてロープ止め突起が縦ロープに当たることがない。このため、ロープ止め突起が縦ロープに当たる衝撃でロープ止め突起が欠損することが無く、養殖中の貝の脱落も無い。
２．第二のロープ止め突起を第一のロープ止め突起よりも基材の軸方向内側に突設したので、図２１（ｂ）のように第一のロープ止め突起の傾斜角度θを小さくして、ロープ止め突起Ｈの根元間の間隔Ｍを図２１（ａ）の間隔ｍより広くしても、差し込まれた縦ロープとの遊び（左右へのずれ幅）が第二のロープ止め突起により規制されて小さくなって、縦ロープに差し込まれた貝係止具が位置ずれしにくくなる。貝係止具が位置ずれしにくくなると、貝係止具に係止された貝が縦ロープに接触しにくくなり、貝が擦れて貝にストレスが発生することがなく、貝が変形せず、不良品の発生が少なくなる。更に、縦ロープと貝係止具との遊びが小さいため、縦ロープへのロープ止め突起の衝突がなく、第一のロープ止め突起が衝撃を受けず、ロープ止め突起が折れることもない。このため、貝が落下することがなく、養殖の歩留まりが向上する。
３．基材のうち第二のロープ止め突起の部分に凹陥部を形成して、第二のロープ止め突起が凹陥部から突出しないか、突出しても僅かしか突出しないようにしてあるため、貝係止具がロープへ差し込む案内針にセットされても、第一のロープ止め突起が案内針から大幅に突出することがなく、ロープに差し込み易くなる。ちなみに、凹陥部がないと、第二のロープ止め突起の分だけ第一のロープ止め突起が案内針から余計に突出し、ロープに差し込みにくくなるが、そのようなことがない。
４．第二のロープ止め突起を第一のロープ止め突起よりも短くしたので、貝係止具をロープへ差し込む案内針にセットしても、第一のロープ止め突起が案内針から大幅に突出することがなく、ロープに差し込み易くなる。
【００１２】
本件出願の集合貝係止具は数十本の貝係止具が並列に配置されて一枚に集合して成型されているので、ピンセッターなどの自動機器にセットして貝係止具を一本ずつ切断し、切断された貝係止具を一本ずつ縦ロープに差し込むこともできるため、ロープへの差し込み作業効率が向上する。
【００１３】
本件出願の連続貝係止具もピンセッターなどの自動機器にセットして一本ずつ切断し、切断された貝係止具を一本ずつ縦ロープに差し込むことができるため、ロープへの貝係止具の差し込み作業能率が向上する。
【００１４】
本件出願のロール状貝係止具は、数千〜数万本も長く連続成型された連続貝係止具をロール状に巻いてあるため次のような効果がある。
１．保管や運搬に便利である。
２．ピンセッターなどの自動機器にセットして一本ずつ分離してロープに差し込む作業を連続して行うことができ、作業能率が向上する。
３．隣接する貝係止具の基材が連結材で連結されている場合は、ピンセッターなどの自動機器にセットして一本ずつ切断するときに、連結貝係止具を引いてピンセッターに引き込んでも連続貝係止具が変形せず、一本ずつ確実に切断して分離され、分離された貝係止具のロープへの差し込みが確実になる。
【００１５】
本件出願のロール状貝係止具は、貝係止具の間に保護シートを介在させて連結貝係止具を巻いたので、次のような効果もある。
１．数十ｍ以上も長く連続成型された連続貝係止具は、保管や運搬の仕方によっては、貝係止具のロープ止め突起同士が絡まったり、貝止め突起同士が絡まったり、基材の端部が曲がったりして、引き出しにくいとか、一本ずつ分離しにくくなることがあるが、多数の貝係止具同士が絡まり合うことがなく、連続貝係止具の巻き戻し（引き出し）がスムースになり、自動ピンセッターなどへのセットが容易になり、使い易くなる。
２．保護シートがあるため、きつく巻いてロールを硬くすることができ、ロール状に巻いた連続貝係止具を基材の端部が上下になるように立てて保管したり、運送したりすることができるため、連続貝係止具の扱いが容易になる。
３．シートを介在させてあるため、ロール状に巻いた連続貝係止具を基材の端部を上下にして立てておいても、基材の端部が曲がらない。このため、自動ピンセッターでの処理が円滑に行われる。
４．シートを紙にすれば、廃棄処分が容易になる。
５．連続貝係止具をボビンにロール状に巻いてあるため、ロール状貝係止具の扱いがより一層容易になる。
【発明を実施するための最良の形態】
【００１６】
（貝係止具の実施の形態１）
本発明の貝係止具の第１の実施形態を図１（ａ）に基づいて説明する。図１（ａ）の貝係止具１は樹脂成型品であり、ロープと貝に開けた孔に差し込み可能な細長の基材２に、第一のロープ止め突起３と第二のロープ止め突起４とが基材２の反対側に突設され、基材２のうち第一、第二のロープ止め突起３、４よりも軸方向外側に貝止め突起５が突設されている。基材２は軸方向両端部（差し込み端部）７が先端に向けて次第に細くなっている。
【００１７】
両ロープ止め突起３、４は縦ロープに差し込んだ貝係止具１が縦ロープから抜けるのを規制（阻止）するためのものである。第一のロープ止め突起３と第二のロープ止め突起４とは基材２の周方向反対側に突設されており、第一のロープ止め突起３が第二のロープ止め突起４よりも長く形成されている。
【００１８】
第一のロープ止め突起３は基材２から同方向に二本突設され、互いに内向き斜めに突設されてハ字状になっている。第一のロープ止め突起３の形状はそれ以外であってもよく、例えば、図１２のような形状とか、それら以外の形状であってもよい。
【００１９】
第二のロープ止め突起４は基材２の下方に突設されている。第二のロープ止め突起４は基材２の長手方向中央部の外径よりもやや小さな径の半球状あるが、それ以外の形状、例えば、三角や四角の棒状とか、楕円形の棒状等であってもよく、長さ、太さ等もそれ以外であってもよい。
【００２０】
貝止め突起５は第一のロープ止め突起３側に向けて突設されている。貝止め突起５は薄板状に成型されている。基材２には図１（ｂ）のように基材２の外周面よりも一段低い倒伏部（通称：寝床）２０を形成して、貝止め突起５をその根元から基材２側に押し倒すと、貝止め突起５が倒伏部２０内に伏して倒れるようにしてある。これにより、貝係止具１をその軸方向一端から縦ロープに差し込むと、貝止め突起５が押し倒されて倒伏部２０内に倒れて貝止め突起５が縦ロープ内を貫通し易くなる。倒れた貝止め突起５は縦ロープ内を貫通し終えると自己の弾性と復元力で自動的に起立して、倒れる前の元の状態に復帰する弾性を備えている。
【００２１】
貝止め突起５は貝係止具１を差し込み端部７から貝の耳に開けられている孔に差し込むときも、押し倒されて倒伏部２０内に倒れて孔を貫通し、倒れた貝止め突起５は孔を貫通し終えると自己の弾性と復元力で自動的に起立して、倒れる前の元の状態に復帰する弾性を備えている。貝止め突起５は薄板状ではなく倒伏・復帰可能な弾性の丸棒状とかその他の形状とすることもできる。
【００２２】
貝止め突起５は図１（ｂ）（ｃ）に明示するように、先端側を外側に向けて湾曲させて貝止め突起５に係止された貝が抜けにくくなるようにすると共に、貝止め突起５に貝の荷重が加わってもその荷重は貝止め突起５の根元まで伝わりにくくなるようにしてある。また、図１（ｂ）（ｃ）のように、貝止め突起５の根元２１を円弧状に湾曲させて成型して、貝の荷重が外側に向けて貝止め突起５に加わっても根元２１が裂けないようにしてある。
【００２３】
図１（ａ）では、係止具１の基材２のうち第二のロープ止め突起４が突設された部分に、第一のロープ止め突起３側に突出する（窪む）凹陥部６を成型して、図２に明示するように、第二のロープ止め突起４が凹陥部６よりも外側まで突出しないようにしてある。第二のロープ止め突起４は凹陥部６よりも僅かに外側まで突出するように成型することもできる。第一のロープ止め突起３は凹陥部６の両端突出部分６ａから立上げてあるが、立ち上げ位置は凹陥部６の上でも、凹陥部６の外側でもよい。第二のロープ止め突起４の長さは任意に決定することができるが、基材２の軸方向中央部の直径が１．５ｍｍのとき、第一、第二のロープ止め突起３、４の直径は０．５〜０．６ｍｍ程度、第二のロープ止め突起４の長さは０．４〜０．５ｍｍ程度とするのが適する。凹陥部６の深さは第二のロープ止め突起４の長さが０．４〜０．５ｍｍのときは０．４〜０．５ｍｍ程度とするのが適する。
【００２４】
図１（ａ）の貝係止具をロープに差し込むときは、図３のように１本の貝係止具１を案内針３０の後方の受け具３１の受け溝３２内にセットし、図４のように案内針３０をロープＣ側に移動させてロープＣに差し込んでロープＣに孔を開ける。それより少し遅れて図５のように受け溝３２内の貝係止具１を押し具３３でロープＣ側に押して、案内針３０でロープＣに開けた孔に押し込む。このとき、貝係止具１の先方の第一、第二のロープ止め突起３、４がロープＣの孔を貫通し、更に、貝係止具１の先端部がセンサ３４に突き当たるまで押し込む。その後、図６のように案内針３０を逆戻りさせてロープＣから引き抜く。このとき、第一、第二のロープ止め突起３、４がロープＣの孔を貫通するまで押し込まれているため、貝係止具１は第一、第二のロープ止め突起３、４がロープＣに係止してロープＣから抜けない。
【００２５】
図１（ａ）の貝係止具１の第二のロープ止め突起４が基材２よりも外側に突出し過ぎると、貝係止具１が図５のように案内針３０に押し込まれたときに、第一のロープ止め突起３が案内針３０の開口部から外に突出し過ぎてしまい、第一のロープ止め突起３が邪魔をして貝係止具１がロープＣの穴に差し込まれにくくなる。本発明では、凹陥部６を設けて第二のロープ止め突起４が凹陥部６内に収まるようにするか、凹陥部６より突出しても僅かとしてあるため、１本ずつ分離された貝係止具１が案内針３０に押し込まれたときに、案内針３０の開口部から外に突出する第一のロープ止め突起３の突出長が短くなり、ロープＣの穴に貝係止具１がスムースに差し込まれる。
【００２６】
【００２７】
【００２８】
（集合貝係止具の実施の形態１）
本発明の集合貝係止具の第３の例を図７に示す。これは図１（ａ）の貝係止具１を間隔を開けて多数本（２０本）並べ、それら貝係止具１の基材２の両端の差し込み端部７を細長連結体８により連結し、更に、第一のロープ止め突起３と第二のロープ止め突起４とをロープ止め連結材９を介して連結して一枚に集合して成型したものである。ロープ止め連結材９は切断し易くするため薄片にしてある。ロープ止め連結材９は細いピン状にしたり、他の形状としたりすることもできる。連結する貝係止具１の本数も任意に選択することができる。図９（ｃ）に示すように第一のロープ止め突起３の先端部３ａと第二のロープ止め突起４の先端部４ａとを円弧状にして直結（連結）しても、連結部２５の切断が容易になる。
【００２９】
（集合貝係止具の実施の形態２）
本発明の集合貝係止具の第２の例を図８に示す。これは図１（ａ）の貝係止具１を間隔をあけて多数本並べ、それら貝係止具１の両端の差し込み端部７を細長連結体８で連結したものである。この場合、細長連結体８と貝係止具１の基材２の差し込み端部７との間に、基材２の差し込み端部７の外形よりも大きな外形の丸い突起を成型することもできる。この突起は集合貝係止具を自動切断差し込み機にセットし、貝係止具を一本ずつ切断してロープに差し込むときに、送り用として使用することができる。この突起は成型時には樹脂を流れ易くするための機能をも有する。突起の大きさ、長さ、形状等は所望に応じて選択できる。
【００３０】
（連続貝係止具の実施の形態１）
本発明の連続貝係止具の第１の例を図９に示す。これは図１（ａ）の貝係止具を多数本連続成型したものであり、隣接する貝係止具１の第一のロープ止め突起３と第二のロープ止め突起４を直結して成型してある。この連続貝係止具１４には図１８（ａ）（ｂ）のようにロール状に巻き取ることができる程度の可撓性を持たせてある。そのために、個々の貝係止具１を可撓性のあるものにしたり、第一のロープ止め突起３と第二のロープ止め突起４の連結部２５（図９ｃ）に可撓性をもたせる等してある。この連続貝係止具１４は図９（ｂ）のように一本ずつ分離して使用される。この場合、連結されている両ロープ止め突起３、４の連結部２５を切断する。また、図９（ｃ）に示すように第一のロープ止め突起３の先端部３ａと第二のロープ止め突起４の先端部４ａとを円弧状にして直結（連結）すれば、連結部２５からロール状に巻き易くなり、連結部２５の切断も容易になる。
【００３１】
（連続貝係止具の実施の形態２）
本発明の連続貝係止具の第２の例を図１０に示す。これも図１（ａ）の貝係止具を多数本連続成型したものであり、基本的には図９（ａ）の連結貝係止具と同じ形状であり、異なるのは、第一のロープ止め突起３の先端側を外側に向けて湾曲させたものである。この連続貝係止具１４も図１８（ａ）（ｂ）のようにロール状に巻き取ることができる程度の可撓性がある。そのために、個々の貝係止具１を可撓性のあるものにしたり、第一のロープ止め突起３と第二のロープ止め突起４の連結部２５に可撓性をもたせる等してある。この連続貝係止具１４も両ロープ止め突起３、４の連結部２５を切断して、図１０（ｂ）のように一本ずつ分離して使用される。この場合も図１０（ｃ）に示すように第一のロープ止め突起３の先端部３ａと第二のロープ止め突起４の先端部４ａとを円弧状にして直結（連結）すれば、連結部２５からロール状に巻き易くなり、連結部２５の切断も容易になる。
【００３２】
（連続貝係止具の実施の形態３）
本発明の連続貝係止具の第３の例を図１１に示す。これも図１（ａ）の貝係止具を多数本連続成型したものであり、隣接する貝係止具１の第一のロープ止め突起３と第二のロープ止め突起４を可撓性のあるロープ止め連結材９で連結してある。ロープ止め連結材９は横に幅の広い薄片とか細いピンや紐等にして、連続成型された貝係止具を図１８（ａ）（ｂ）のようにロール状に巻くことができるように可撓性を持たせてある。ロープ止め連結材９の薄片は両ロープ止め突起３、４と同じ材料で一体に成型されている。その厚さは０．３〜０．４ｍｍ程度、幅１ｍｍ程度、長さ１ｍｍ程度が適する。
【００３３】
図１１（ａ）の連続貝係止具１４も図１１（ｂ）のように一本ずつ分離して使用される。この場合、両ロープ止め突起３、４を連結するロープ止め連結材９を切断する。ロープ止め連結材９は任意の箇所を切断することができるが、ロープ止め連結材９が第一のロープ止め突起３、第二のロープ止め突起４に残り過ぎると、１本ずつ切断された貝係止具をロープに差し込むときに、その残り部分が抵抗になって差し込みにくくなるので、図１１（ｂ）のように、第一のロープ止め突起３にも、第二のロープ止め突起４にもロープ止め連結材９が残らないように切断するのが好ましい。
【００３４】
（連続貝係止具の実施の形態４）
本発明の連続貝係止具の第４の例を図１２に示す。これも図１（ａ）の貝係止具を多数本連続成型したものであり、基本的には図１１（ａ）の連続貝係止具と同じ形状であり、異なるのは、第一のロープ止め突起３の先端側を外側に向けて湾曲させたものである。この連続貝係止具１４もロール状に巻くことができるように可撓性を持たせてある。また、ロープ止め連結材９を切断して、図１２（ｂ）のように一本ずつ分離して使用される。
【００３５】
【００３６】
【００３７】
【００３８】
【００３９】
【００４０】
【００４１】
（連続貝係止具の実施の形態５）
本発明の連続貝係止具の第５の実施例を図１３（ａ）に基づいて説明する。この連続貝係止具１４の基本的構造は図１１（ａ）の連続貝係止具と同じであり、異なるのは隣接する基材２を左右の第一のロープ止め突起３間と、左右の第二のロープ止め突起４間において基材連結材１３によって連結し、基材連結材１３を可撓性のある紐としたことである。紐の直径は０．３〜０．４ｍｍ程度が良い。基材連結材１３は図１４（ａ）（ｂ）のように可撓性のある薄片にしたり、可撓性のあるテープ状片とすることもできる。この場合の基材連結材１３の肉厚は０．３〜０．４ｍｍ程度、幅は４〜５ｍｍ前後とするのが良い。このようにすると基材連結材１３が曲がり易くなり、連続貝係止具１４をロール状に巻き易くなり、刃物で切断もし易くなる。
【００４２】
連続貝係止具１４は切断するときに自動切断機にセットして、連続貝係止具１４を１本分ずつ送りながら一本ずつ切断する。この送りにより連結されている貝係止具１が撓んで変形することがあると一本ずつ所定位置で切断できなくなるとか、切断されても切断箇所の下方に待機している受け具３１の受け溝３２内に入らなくなるが、前記細長連結材８を設けることにより貝係止具１が撓みにくくなり、変形せず、切断されたものが所定位置に落下して案内針３０内に確実に落下する。
【００４３】
（連続貝係止具の実施形態６）
本発明の連続貝係止具の第６の実施例を図１５に基づいて説明する。この連続貝係止具の基本的構造は図１３（ａ）の連続貝係止具１４と同じであり、異なるのは隣接する基材２を両ロープ止め突起３、４の外側で且つ貝止め突起５の内側において基材連結材１３によって連結し、基材連結材１３を可撓性のある紐としたことである。この紐の直径も０．３〜０．４ｍｍ程度が良い。基材連結材１３は図１４のように可撓性のある薄片にしたり、可撓性のあるテープ状片としたりすることもできる。この場合の基材連結材１３の肉厚も０．３〜０．４ｍｍ程度、幅は４〜５ｍｍ前後として、基材連結材１３を曲がり易くし、連続貝係止具１４をロール状に巻き易くし、刃物で切断し易くしてある。
【００４４】
図１６の連続貝係止具１４は基本的構造は図１５の連続貝係止具１４と同じであり、異なるのは隣接する基材２の第一のロープ止め突起３と、第二のロープ止め突起４とを連結せずに離したことである。この連続貝係止具１４もロール状に巻くことができるように、基材連結材１３に可撓性を持たせてある。この連続貝係止具１４の場合は基材連結材１３を切断するだけで貝係止具を１本ずつ分離することができる。その場合、基材連結材１３が基材２に残らないように切断するのが望ましいが、多少の長さで基材２の上下両方又はいずれか一方に残っても格別支障はない。
【００４５】
（連結貝係止具の実施形態７）
本発明の連続貝係止具１４の第７の実施例を図１７に基づいて説明する。この連続貝係止具１４の基本的構造は図１１（ａ）の連続貝係止具と同じであり、異なるのは、隣接する基材２の両先端部７を基材連結材１３によって連結し、基材連結材１３を可撓性のある紐としたことである。紐の直径は０．３〜０．４ｍｍ程度が良い。基材連結材１３は可撓性のある紐薄片又は可撓性のあるテープ状片とすることもできる。その場合の基材連結材１３の肉厚は０．３〜０．４ｍｍ程度、幅は１〜３ｍｍ程度とするのが良い。このようにすると連続貝係止具１４をロール状に巻き易くなる。
【００４６】
（ロール状貝係止具の実施形態）
本発明のロール状貝係止具は、前記した各種実施形態の連続貝係止具１４（図９〜図１７）を図１８（ａ）のようにロール状に巻いたものである。この場合、連続貝係止具１４に帯状のシートやフィルム１５を添わせてロール状に巻いて、連続貝係止具１４の巻き層間にシート１５を介在させてある。シート１５には障子紙のような帯状の紙とか、コピー用紙のような質、厚さの紙を帯状に長くしたものとか、帯状に長くした樹脂製のシート等を使用することができるが、使用後の廃棄処分のし易さの面から、紙を使用するのが好ましい。シート１５は、幅、長さ、共に連続貝係止具１４と同程度のものが好ましいが、それより短いものを足しながら使用することもできる。本発明のロール状貝係止具はシート１５を介在させずに巻くことも出来る。
【００４７】
本発明のロール状貝係止具は図１８（ｂ）のように巻胴１６の両端に鍔１７を設けたボビン１８の巻胴１６にロール状に巻くこともできる。ボビン１８は肉厚の紙製、樹脂製、木製等とすることができる。紙製の場合は使い捨てに適し、樹脂製、木製等の場合は再使用するのに適する。ボビン１８に巻く連続貝係止具１４の間にはシート１５を介在させても、介在させなくともよい。
【００４８】
本発明のロール状貝係止具の使用方法は種々あるが、一例としては、ロール状に巻かれた連続貝係止具１４の巻き終端部をほどいて、その終端部を自動ピンセッターにセットし、自動ピンセッターにより自動的に貝係止具１を一本ずつ切り離して、図１９のように、縦ロープ（例えば、プラスチック製ロープ）Ｃに差し込み、第一、第二のロープ止め突起３、４でロープＣから抜けないようにする。ロープＣに差し込まれた貝係止具１の端部を帆立貝Ｂの耳に開けてある通孔に差し込んで、貝止め突起５をその通孔内を貫通させ、帆立貝Ｂの耳を貝止め突起５によって係止する。貝係止具１の長手方向他端を同様に帆立貝Ｂの通孔に差し込んで、貝止め突起５に帆立貝Ｂの耳を係止する。
【図面の簡単な説明】
【００４９】
【図１】（ａ）は本発明の貝係止具の一例を示す平面図、（ｂ）は（ａ）の貝係止具の貝係止突起付近の詳細説明図、（ｃ）は（ａ）の貝係止具の貝係止突起付近の異なる例の詳細説明図。
【図２】（ａ）は本発明の凹陥部を設けた貝係止具の第一、第二のロープ止め突起付近の詳細説明平面図、（ｂ）は（ａ）の第一、第二のロープ止め突起付近の詳細側面図。
【図３】本発明の貝係止具を受け具にセットした状態の平面図。
【図４】本発明の貝係止具をセットした受け具と案内針とを共に押して案内針をロープの途中まで差し込んだ状態の平面図。
【図５】本発明の貝係止具を案内針と共にロープに差し込んだ状態の平面図。
【図６】本発明の貝係止具をロープに差し込み終えて案内針を引き戻す過程の平面図。
【図７】（ａ）は本発明の集合貝係止具の一例を示す平面図、（ｂ）は（ａ）の集合貝係止具の側面図。
【図８】本発明の集合貝係止具を２段に連続成型した一例を示す平面図。
【図９】（ａ）は図１（ａ）の貝係止具を多数本連続成型した連続貝係止具の一例を示す平面図、（ｂ）は（ａ）の連続貝係止具から分離した貝係止具の平面図、（ｃ）は（ａ）の連続貝係止具の第一ロープ止め突起と第二ロープ止め突起との連結部の詳細図。
【図１０】（ａ）は第一のロープ止め突起を湾曲させた貝係止具を多数本連続成型した連続貝係止具の一例を示す平面図、（ｂ）は（ａ）の連続貝係止具から分離した貝係止具の平面図、（ｃ）は（ａ）の連続貝係止具の第一のロープ止め突起と第二のロープ止め突起との連結部の詳細図。
【図１１】（ａ）は本発明の図１（ａ）の貝係止具の第一のロープ止め突起と第二のロープ止め突起をロープ止め連結材により連結した連続貝係止具の平面図、（ｂ）は（ａ）の連続貝係止具から分離した貝係止具の平面図。
【図１２】（ａ）は湾曲させた第一のロープ止め突起を第二のロープ止め突起にロープ止め連結材により連結した連続貝係止具の平面図、（ｂ）は（ａ）の連続貝係止具から分離した貝係止具の平面図。
【図１３】（ａ）は左右のロープ止め間を紐状の基材連結材により連結した連続貝係止具の示す平面図、（ｂ）は（ａ）の連続貝係止具の基材連結材の断面拡大図。
【図１４】（ａ）は左右のロープ止め突起間をテープ状の基材連結材により連結した連続貝係止具の示す平面図、（ｂ）は（ａ）の連続貝係止具の基材連結材の断面拡大図。
【図１５】左右のロープ止め突起の外側を紐状の基材連結材により連結し、両ロープ止め突起をロープ止め突起連結材により連結した本発明の連続貝係止具の平面図
【図１６】左右のロープ止め突起の外側を紐状の基材連結材により連結し、両ロープ止め突起間を離した本発明の連続貝係止具の平面図。
【図１７】隣接する基材の差し込み端部を紐状の基材連結材により連結した本発明の連続貝係止具の平面図。
【図１８】（ａ）は本発明のロール状連結貝係止具の一例を示す斜視図、（ｂ）は本発明のロール状連結貝係止具の他例を示す平面図。
【図１９】本発明の貝係止具の使用説明図。
【図２０】（ａ）は従来の貝係止具の使用時の説明図、（ｂ）は窪みが発生した貝の説明図。
【図２１】（ａ）、（ｂ）は従来の連結貝係止具の傾斜角度θ、Θが異なる例の説明図
【図２２】（ａ）、（ｂ）は従来の連結貝係止具の傾斜角度θ、Θが異なる場合のロープ内での位置ずれの説明図。
【符号の説明】
【００５０】
１  貝係止具
２  基材
３  第一のロープ止め突起
４  第二のロープ止め突起
５  貝止め突起
６  凹陥部
７  差し込み端部
８  細長連結材
９  ロープ止め連結材
１０  突起
１１  凹部
１２  凸部
１４  連続貝係止具
１５  シート
１６  巻胴
１７  鍔
１８  ボビン
２５  第一、第二のロープ止めの連結部
【要約】
【課題】  耳吊り養殖用の貝係止具の改善を図る。
【解決手段】  貝係止具の細長の基材に、ロープからの基材の抜けを規制する第一のロープ止め突起と、第二のロープ止め突起とを突設し、基材のうち第二のロープ止め突起が突設された部分に、第一のロープ止め突起側に窪んだ凹陥部を形成した貝係止具。前記貝係止具を多数本並べて一枚にした。前記貝係止具を多数本連続した。前記貝係止具を多数本連続したものをロール状に巻いた。
【選択図】      図１
【図１】
0003545398.tif 000002
【図２】
0003545398.tif 000003
【図３】
0003545398.tif 000004
【図４】
0003545398.tif 000005
【図５】
0003545398.tif 000006
【図６】
0003545398.tif 000007
【図７】
0003545398.tif 000008
【図８】
0003545398.tif 000009
【図９】
0003545398.tif 000010
【図１０】
0003545398.tif 000011
【図１１】
0003545398.tif 000012
【図１２】
0003545398.tif 000013
【図１３】
0003545398.tif 000014
【図１４】
0003545398.tif 000015
【図１５】
0003545398.tif 000016
【図１６】
0003545398.tif 000017
【図１７】
0003545398.tif 000018
【図１８】
0003545398.tif 000019
【図１９】
0003545398.tif 000020
【図２０】
0003545398.tif 000021
【図２１】
0003545398.tif 000022
【図２２】
0003545398.tif 000023